(57)【要約】  【課題】  光ディスク装置において、複数の記録再生層を有する光ディスクの未記録再生層に対しても適切なフォーカスオフセットを設定可能にする。  【解決手段】  装置内に装着された光ディスクの複数の記録再生層のうちに未記録状態の記録再生層があるか否かを判別し、該判別の結果、未記録状態の記録再生層があるとき、該未記録状態の記録再生層においてユーザデータを記録する領域以外の領域に、フォーカスオフセット調整用の信号を記録し、該記録したフォーカスオフセット調整用の信号を再生して信号品質を評価し、該評価結果に基づき適切なフォーカスオフセット値を求めて設定し、記録動作を行う構成とする。【選択図】  図４
2006302468.tif 000002
【特許請求の範囲】
【請求項１】
複数の記録再生層を有する光ディスクに対し、対物レンズを通してレーザ光を照射し、情報の記録または再生を行う光ディスク装置であって、
装置内に装着された光ディスクの上記複数の記録再生層のうちに未記録状態の記録再生層があるか否かを判別する第１の手段と、
上記判別の結果、上記未記録状態の記録再生層があるとき、該記録再生層においてユーザデータを記録する領域以外の領域に、フォーカスオフセット調整用の信号を記録させる第２の手段と、
上記記録されたフォーカスオフセット調整用の信号を用い、適切なフォーカスオフセットを求めて設定する第３の手段と、
上記設定したフォーカスオフセットを用いて記録動作を行わせる第４の手段と、
を備えて成る制御手段を有した構成を特徴とする光ディスク装置。
【請求項２】
上記第３の手段は、上記適切なフォーカスオフセットを求めるとき、予め記録されたフォーカスオフセット調整用の信号を再生しながらフォーカスオフセットを可変して信号品質の評価を行い、該評価結果に基づき、該適切なフォーカスオフセット値を求める構成である請求項１に記載の光ディスク装置。
【請求項３】
上記第２の手段は、上記フォーカスオフセット調整用の信号を、試し書き領域として定義される領域、光ディスク装置が管理するための情報を記録するために規定された領域、または、光ディスク装置が情報を規格上記録可能な領域よりもディスク内周側の領域またはディスク外周側の領域に記録させる構成である請求項１に記載の光ディスク装置。
【請求項４】
上記第４の手段は、上記設定したフォーカスオフセット値において、記録パワーを変化させ試し記録を行わせて記録動作用の記録パワーを求め、該求めた記録パワーで記録動作を行わせる構成である請求項１に記載の光ディスク装置。
【請求項５】
上記第２の手段は、上記フォーカスオフセット調整用の信号の記録時に、該記録を複数回行う処理を擬似的に行わせる構成である請求項１に記載の光ディスク装置。
【請求項６】
複数の記録再生層を有する光ディスクに対し対物レンズを通してレーザ光を照射し、情報の記録または再生を行う光ディスク装置であって、
装置内に装着された光ディスクの複数の記録再生層のうちに未記録状態の記録再生層があることを判別し、該記録再生層の試し記録領域に、フォーカスオフセットの初期値で試し記録を行い、該試し記録によりフォーカスオフセット調整用の記録パワーを求め、該記録パワーでフォーカスオフセット調整用の信号を該記録再生層の所定の領域に試し記録し、これを再生して信号品質を評価し、該評価結果に基づき、該記録再生層のフォーカスオフセット値を求めて設定し、該設定したフォーカスオフセット値で記録パワーを変化させて試し記録を行い、記録動作用の適切な記録パワーを求め、該記録パワーで記録動作を行わせる構成の制御手段を備えたことを特徴とする光ディスク装置。
【請求項７】
複数の記録再生層を有する光ディスクに対し対物レンズを通して所定のフォーカスオフセットでレーザ光を照射し、情報の記録または再生を行う光ディスク装置のフォーカスオフセット調整方法であって、
上記複数の記録再生層のうちに情報が記録されていない未記録状態の記録再生層があるか否かを判別する第１のステップと、
上記判別の結果、上記未記録状態の記録再生層があるとき、該未記録状態の記録再生層の試し記録領域に対し、フォーカスオフセットの初期値を用い、記録パワーを変化させて試し記録を行わせ、フォーカスオフセット調整用の記録パワーを求めて設定する第２のステップと、
上記設定した記録パワーによりフォーカスオフセット調整用の信号を、上記未記録状態の記録再生層の所定の領域に試し記録させる第３のステップと、
上記試し記録されたフォーカスオフセット調整用の信号を、フォーカスオフセットを変化させながら再生させて信号品質の評価を行う第４のステップと、
上記信号品質の評価結果に基づき、上記未記録状態の記録再生層のフォーカスオフセット値を求めて設定する第５のステップと、
を経て、フォーカスオフセットの調整を行うことを特徴とする光ディスク装置のフォーカスオフセット調整方法。
【請求項８】
上記第３のステップでは、上記フォーカスオフセット調整用の信号は、上記未記録状態の記録再生層の試し記録領域または規格で規定された領域以外の領域に試し記録される請求項７に記載の光ディスク装置のフォーカスオフセット調整方法。
【請求項９】
上記第３のステップでは、上記フォーカスオフセット調整用の信号は、上記未記録状態の記録再生層の試し記録カウント領域に試し記録され、該試し記録時に複数回の試し記録処理が擬似的に行われる請求項７に記載の光ディスク装置のフォーカスオフセット調整方法。
【請求項１０】
複数の記録再生層を有する光ディスクに対し情報の記録または再生を行う光ディスク装置のフォーカスオフセット調整用のプログラムであって、
マイコンまたはマイコンを含む制御手段に、
上記複数の記録再生層のうちに未記録状態の記録再生層があるか否かを判別する第１の手順と、
上記判別の結果、上記未記録状態の記録再生層があるとき、該記録再生層の試し記録領域に対し、フォーカスオフセットの初期値を用い、記録パワーを変化させて試し記録を行わせ、フォーカスオフセット調整用の記録パワーを求めて設定する第２の手順と、
上記設定した記録パワーによりフォーカスオフセット調整用の信号を、上記未記録状態の記録再生層の所定の領域に試し記録させる第３の手順と、
上記試し記録されたフォーカスオフセット調整用の信号を、フォーカスオフセットを変化させながら再生させ、信号品質の評価を行う第４の手順と、
上記信号品質の評価結果に基づき、上記未記録状態の記録再生層のフォーカスオフセット値を求めて設定する第５の手順と、
を実行させ、フォーカスオフセットの調整を行わせることを特徴とする光ディスク装置のフォーカスオフセット調整用プログラム。
【発明の詳細な説明】
【技術分野】
【０００１】
本発明は、複数の記録再生層を有する光ディスクに対し情報の記録または再生を行う光ディスク装置におけるフォーカスオフセット調整技術に関する。
【背景技術】
【０００２】
本発明に関連した従来技術であって、光ディスクの複数の記録再生層に対してフォーカスオフセットの設定または調整を行う技術としては、例えば、特許第３４６５４１３号明細書（特許文献１）や特開２００３−２１７１４０号公報（特許文献２）に記載されたものがある。特許第３４６５４１３号明細書には、記録層が変更されたとき、トラッキングエラー信号の最大振幅、ＲＦ信号の最大振幅、または再生信号の最小ジッタの、該記録層を変更する前の値と変更後の値との差を算出し、該差が所定値よりも小さい場合は、変更前の値を最適値とし、該差が所定値よりも大きい場合は、オフセットを発生する手段を制御して最適点を検出するとした技術が記載され、特開２００３−２１７１４０号公報には、各記録層のグルーブ部とランド部に予め記録されているプリピットで発生するＲＦ信号を最大とするようにオフセット値を制御してフォーカスオフセットを該各記録層で独立に設定するとした技術が記載されている。
【０００３】
【特許文献１】特許第３４６５４１３号明細書
【特許文献２】特開２００３−２１７１４０号公報
【発明の開示】
【発明が解決しようとする課題】
【０００４】
上記従来技術はいずれも、各記録層（記録再生層）に既に情報が記録されていることを前提にしたものであり、未記録状態の記録再生層に対してのフォーカスオフセットの設定は困難であると考えられる。
本発明の課題点は、上記従来技術の状況に鑑み、光ディスク装置において、複数の記録再生層を有する光ディスクの未記録層（未記録状態の記録再生層）に対しても適切なフォーカスオフセットを設定可能にすることである。
本発明の目的は、かかる課題点を解決し、光ディスク装置において、使い勝手性を向上させ得る技術を提供することにある。
【課題を解決するための手段】
【０００５】
上記課題点を解決するために、本発明では、光ディスク装置において、装置内に装着された光ディスクの複数の記録再生層のうちに未記録状態の記録再生層があるか否かを判別し、該判別の結果、未記録状態の記録再生層があるとき、該未記録状態の記録再生層においてユーザデータを記録する領域以外の領域に、フォーカスオフセット調整用の信号を記録し、該記録したフォーカスオフセット調整用の信号に基づき適切なフォーカスオフセット値を求めて設定し、該設定したフォーカスオフセットを用いて記録動作を行う構成とする。上記フォーカスオフセット値の設定にあたっては、例えば上記記録したフォーカスオフセット調整用の信号を再生して該信号の信号品質の評価を行い、該評価結果に基づいて適切なフォーカスオフセット値を設定する。また、上記フォーカスオフセット調整用の信号は、例えば、試し記録領域、試し記録カウント領域または規格で規定された領域以外の領域（以下、規格外領域という）に記録し、該試し記録カウント領域に記録した場合には、例えば、複数回の試し記録が擬似的に行われるようにする。
具体的には、本発明は、上記を基本的要件とする光ディスク装置、そのフォーカスオフセット調整方法及びフォーカスオフセット調整用プログラムである。
【発明の効果】
【０００６】
本発明によれば、光ディスク装置において、複数の記録再生層のうち、未記録状態の記録再生層に対しても適切なフォーカスオフセットの調整（設定を含む）が可能となり、その結果、光ディスク装置の使い勝手性の向上を図ることができる。
【発明を実施するための最良の形態】
【０００７】
以下、本発明を実施するための最良の形態につき、図面を用いて説明する。
図１〜図４は、本発明の実施形態の説明図である。図１は、本発明の実施形態としての光ディスク装置の構成例図、図２は、図１の光ディスク装置に装着される光ディスクの内部構成の説明図、図３は、図１の装置におけるフォーカスオフセットとＰＩエラーの関係を示す図、図４は、同装置におけるフォーカスオフセット調整の動作手順の説明図である。
【０００８】
図１において、１は、複数層の記録再生層（第１、第２の記録再生層とする）を有するＤＶＤ＋Ｒ、ＤＶＤ−Ｒ、ＢＤ（Ｂｌｕｅ  Ｒａｙ  Ｄｉｓｃ）などの光ディスク、２は，光ディスク１を回転駆動するディスクモータ、３は光ピックアップ、４は、光ピックアップ３を光ディスク１の半径方向に移動させるピックアップスライド機構、５は、ピックアップスライド機構４中のリードスクリュー部材（図示なし）を回転駆動するスライダモータ、６は、ディスクモータ２やスライダモータ５を制御駆動するモータ駆動回路、７は、光ピックアップ３内で、記録再生動作用のレーザ光を発生するレーザダイオード、８は、光ディスク１の記録面から反射したレーザ光を受光する受光部、９は、レーザダイオード７を駆動するレーザ駆動回路、１０は、対物レンズ（図示なし）を含み、光ディスク１の記録面に対し入出射するレーザ光を光学処理する光学系、１１は、光学系１０の位置や姿勢を変えるアクチュエータ、１２は、光ディスク１に記録する記録信号を生成する記録信号生成部、１３は、受光部８からの再生信号を、ＲＦ信号や、トラッキングエラー信号（トラッキング誤差信号）や、フォーカスエラー信号（フォーカス誤差信号）として処理する再生／誤差信号処理部、１４は、アクチュエータ１１を駆動する駆動信号を生成するフォーカス／トラッキング制御部、２０は、モータ駆動回路６に供給するサーボ信号を生成したり、記録信号生成部を制御する信号を生成したり、再生／誤差信号処理部１３からの信号に基づき、再生信号（ＲＦ信号）を復調したり、トラッキングエラー信号やフォーカスエラー信号に基づき、フォーカス／トラッキング制御部１４に供給するフォーカス制御信号やトラッキング制御信号を生成したり、上記サーボ信号のレベルを制御したりするＤＳＰ（Ｄｉｇｉｔａｌ  Ｓｉｇｎａｌ  Ｐｒｏｃｅｓｓｏｒ）、３０は、ＤＳＰ２０を制御するマイコン、４０は、書き込みの要求信号を取入れるインターフェース、５０は、光ディスク装置に対し書き込み要求信号を出力して書き込み要求を行うホストコンピュータである。本実施形態では、ＤＳＰ２０とマイコン３０が、光ディスク装置の制御手段を構成する。ＤＳＰ２０またはマイコン３０は、プログラムに従い、本発明のフォーカスオフセット調整の動作手順を実行する。
【０００９】
上記構成において、ＤＳＰ２０が、マイコン３０からの指示により、モータ駆動回路６に対しディスクモータ駆動用のサーボ信号を出力すると、該サーボ信号を受けてモータ駆動回路６は、ディスクモータ駆動用信号を形成して出力し、ディスクモータ２を所定速度で回転させる。ディスクモータ２は、ターンテーブル６０を介して光ディスク１を所定速度で回転させる。記録時、ホストコンピュータ５０から出力された書き込み要求信号がインターフェース４０から取入れられると、マイコン３０は、ＤＳＰ２０に対して記録を指示する信号を送出する。記録信号生成部１２は、マイコン３０からの指示によるＤＳＰ２０からの制御信号に従い、記録用信号を生成してレーザ駆動回路９に入力する。レーザ駆動回路９は、該記録用信号に基づきレーザダイオード７を駆動し、該記録用信号に対応するレーザ光を発生させる。該レーザ光は、光学系１０を通って、回転する光ディスク１の記録面に照射され、所定の記録再生層に情報の記録が行われる。また、再生時は、光ディスク１の記録面（記録再生層）からの反射レーザ光が光学系１０を通って受光部８に入り、ここで再生信号として電気信号に変換される。該再生信号は再生／誤差信号処理部１３に入力され、ＲＦ信号や、トラッキングエラー信号や、フォーカスエラー信号として増幅処理等される。
【００１０】
再生／誤差信号処理部１３から出力された信号はＤＳＰ２０に入力され、該ＤＳＰ２０内で、ＲＦ信号は復調され、トラッキングエラー信号、フォーカスエラー信号からはそれぞれ、トラッキング制御信号、フォーカス制御信号が形成される。トラッキング制御信号、フォーカス制御信号は、ＤＳＰ２０から出力されてフォーカス／トラッキング制御部１４に供給される。フォーカス／トラッキング制御部１４では、トラッキング制御信号によってはトラッキング制御用のアクチュエータ駆動信号が形成され、フォーカス制御信号によってはフォーカス制御用のアクチュエータ駆動信号が形成され、それぞれがアクチュエータ１１に供給される。アクチュエータ１１は、各アクチュエータ駆動信号によって駆動され、光学系中の対物レンズを変位させてトラッキング制御やフォーカス制御を行う。なお、トラッキング制御やフォーカス制御は記録動作時も行われる。
【００１１】
制御手段としてのＤＳＰ２０またはマイコン３０は、光ディスク装置内に装着された光ディスク１の複数の記録再生層のうちに未記録状態の記録再生層があるか否かを判別する第１の手段としての判別部と、例えば光ディスク１が２つの記録再生層（以下、対物レンズに近い側の記録再生層を第１の記録再生層、対物レンズから遠い側の記録再生層を第２の記録再生層という）を有する場合において、上記判別の結果、第２の記録再生層に情報が記録されていないとき、該第２の記録再生層の試し記録領域に対し、フォーカスオフセットの初期値を用い、記録パワーを変化させて試し記録を行わせ、フォーカスオフセット調整用の適切な値（例えば最適値またはそれに近い値など）の記録パワー（第１の記録パワー）を求め、該求めた記録パワー（第１の記録パワー）によりフォーカスオフセット調整用の信号を、第２の記録再生層の試し記録領域、試し記録カウント領域または規格外領域などに試し記録させるように制御する第２の手段としての制御部と、上記試し記録されたフォーカスオフセット調整用の信号を、フォーカスオフセット値を変化させながら再生させ、信号品質の評価を行い、該評価結果に基づき、該第２の記録再生層のフォーカスオフセット値を求めて設定する第３の手段としての制御部と、該設定したフォーカスオフセット値において再度、記録パワーを変化させて試し記録を行わせ、記録動作用の適切な記録パワー（第２の記録パワー）を求め、該求めた記録パワー（第２の記録パワー）で記録動作を行わせるように制御する第４の手段としての制御部とを備えている。
【００１２】
上記第２の手段としての制御部では、上記フォーカスオフセット調整用の記録パワー（第１の記録パワー）を求める場合、例えば、フォーカスオフセットに対するＰＩエラーの特性曲線の対称性を確保し、かつ、ＰＩエラー値を低くすることができる記録パワーを、フォーカスオフセット調整用の適切な記録パワーとして求め、設定する。該第２の手段としての制御部では、フォーカスオフセット調整用の信号を、上記試し記録カウント領域に試し記録させる場合には、複数回の試し記録が擬似的に行われるようにする。また、上記第３の手段としての制御部では、例えばＰＩエラー値による信号の品質評価を行い、該ＰＩエラー値を略最小（最小値を含み、実用上該最小値と略同等の作用・効果が得られる範囲の値を意味するものとする）にするフォーカスオフセット値を求めて設定し、上記第４の手段としての制御部では、上記第２の手段としての制御部と同様、例えば、フォーカスオフセット値に対するＰＩエラー値の特性曲線の対称性を確保し、かつ、該ＰＩエラー値を低くすることができる記録パワーを、記録動作用の記録パワーとして求めて設定する。
【００１３】
ＤＳＰ２０またはマイコン３０は、光ディスク１に対して情報を記録または再生するとき、記録信号生成部１２や、レーザ駆動回路９や、レーザダイオード７や、フォーカス／トラッキング制御部１４や、アクチュエータ１１などを直接的または間接的に制御して、フォーカス制御のためのフォーカスオフセットの調整を行い、該調整により設定したフォーカスオフセットで記録または再生動作を行う。すなわち、例えば第２の記録再生層（対物レンズから遠い側の記録再生層）に対して情報データの記録動作を行うとき、該記録動作に先立ち、制御手段としてのＤＳＰ２０またはマイコン３０は、上記判別部により、該第２の記録再生層に情報が記録されているか否かを判別し、該判別の結果、該第２の記録再生層に情報が記録されていないとき、該第２の記録再生層の試し記録領域に、フォーカス初期値を用い、記録パワーを変化させて試し記録させ、フォーカスオフセット調整用の記録パワー（第１の記録パワー）を求め、該求めた記録パワーによりフォーカスオフセット調整用の信号を、該第２の記録再生層の試し記録領域、試し記録カウント領域または規格で規定された領域以外の領域などに試し記録させる。さらに、該試し記録されたフォーカスオフセット調整用の信号を、フォーカスオフセットを変化させながら再生させてその信号品質の評価を行い、該評価の結果に基づき、該第２の記録再生層のフォーカスオフセット値を求めて設定し、該設定したフォーカスオフセット値で再度、記録パワーを変化させて試し記録領域に試し記録を行わせ、記録動作用の適切な記録パワー（第２の記録パワー）を求め、該求めた第２の記録パワーで記録動作を開始させる。
【００１４】
図２は、光ディスク１の内部構成の説明図である。本光ディスク１は、２層の記録再生層を有するものとする。
図２において、１０ａは、光ピックアップ３の光学系１０内の対物レンズ、１ａは、対物レンズ１０ａに近い側の第１の記録再生層、１ｂは、対物レンズ１０ａから遠い側の第２の記録再生層、１０１は情報データを記録するデータ領域、１０２は試し記録領域、１０３は記録カウント領域、１０４は規格外の領域（規格外領域）、２００はディスク中心軸、１０１ａは、第１の記録再生層１ａのデータ領域、１０１ｂは、第２の記録再生層１ｂのデータ領域、１０２ａは、第１の記録再生層１ａの試し記録領域、１０２ｂは、第２の記録再生層１ｂの試し記録領域、１０３ａは、第１の記録再生層１ａの記録カウント領域、１０３ｂは、第２の記録再生層１ｂの記録カウント領域、１０４ａは、第１の記録再生層１ａの規格外領域、１０４ｂは、第２の記録再生層１ｂの規格外領域、１０２ａ１は、第１の記録再生層１ａの試し記録領域１０２ａ内の試し記録された部分、１０２ｂ１は、第２の記録再生層１ｂの試し記録領域１０２ｂ内の試し記録された部分である。第２の記録再生層１ｂのデータ領域１０１ｂ内に情報データを記録するとき、記録動作に先立ち、ＤＳＰ２０またはマイコン３０内の判別部により、まず、第２の記録再生層１ｂに既に情報が記録されているか否かを判別し、該第２の記録再生層１ｂに情報が記録されていないときは、制御部により、上記のように、第２の記録再生層１ｂの試し記録領域１０２ｂや記録カウント領域１０３ｂや規格外領域１０４ｂに試し記録を行い、これに基づき、該第２の記録再生層のフォーカスオフセット値を設定し、該設定したフォーカスオフセット値で再度試し記録を行わせ、記録動作用の適切な記録パワーを求め、該求めた記録パワー及び該設定したフォーカスオフセット値で記録動作を開始させる。
以下の説明中で用いる上記図１の光ディスク装置の構成要素や上記図２の光ディスクの構成要素には、該図１、該図２の場合と同じ符号を付して用いるものとする。
【００１５】
図３は、図１の光ディスク装置におけるフォーカスオフセットとＰＩエラーの関係を示す特性例図である。
図３の特性は、第２の記録再生層１ｂの試し記録領域１０２ｂ（図２）、第３の手段としての制御部による制御で、試し記録カウント領域１０３ｂまたは規格外領域１０４ｂなどに試し記録されたフォーカスオフセット調整用の信号を、第４の手段としての制御部が、フォーカスオフセット値を変化させながら再生させたときのＰＩエラー特性の例である。
ＰＩエラーの検出閾値がＥ１である場合には、図３のＰＩエラー特性Ａにおいて、検出閾値Ｅ１以上のＰＩエラーが検出され、下限値Ｆ２以下のフォーカスオフセットに対応したＰＩエラーと、上限値Ｆ３以上のフォーカスオフセットに対応したＰＩエラーとが検出される。下限値Ｆ２、上限値Ｆ３間では、ＰＩエラーは検出閾値Ｅ１と等しいとされ、該検出閾値Ｅ１と等しいＰＩエラ値がＰＩエラーの最小値とされる。第４の手段としての制御部は、フォーカスオフセット値を変化させながら再生させ、ＰＩエラーが最小値となる下限値Ｆ２、上限値Ｆ３間のフォーカスオフセット値であって、該下限値Ｆ２、上限値Ｆ３間の略中央のフォーカスオフセット値Ｆ１を、記録または再生動作用のフォーカスオフセットとして設定する。
【００１６】
図４は、図１の光ディスク装置において、装着された光ディスク１の第２の記録再生層におけるフォーカスオフセット調整の動作手順の説明図である。
図４において、
（１）制御手段としてのＤＳＰ２０またはマイコン３０は、フォーカスオフセット調整の動作をスタートさせる（ステップＳ４０１）。
（２）ＤＳＰ２０またはマイコン３０は、判別部により、装置内に装着された光ディスクの第２の記録再生層（Ｌ１層）に情報が記録されているか否かを判別する（ステップＳ４０２）。
（３）上記判別の結果、第２の記録再生層に情報が未だ記録されていないとき、ＤＳＰ２０またはマイコン３０は、第２の記録再生層１ｂに対してフォーカスオフセットの初期値を設定する（ステップＳ４０３）。
（４）ＤＳＰ２０またはマイコン３０は、上記設定した初期値のフォーカスオフセットにおいて、記録パワーを変化させ、第２の記録再生層１ｂの試し記録領域１０２ｂに試し記録させ、フォーカスオフセット調整用の記録パワー（第１の記録パワー）を設定する（ステップＳ４０４）。
（５）ＤＳＰ２０またはマイコン３０は、上記ステップＳ４０４で設定した記録パワーにより、フォーカスオフセット調整用の信号を、第２の記録再生層１ｂの試し記録領域１０２ｂ、試し記録カウント領域１０３ｂまたは規格外領域１０４ｂなどに試し記録させる（ステップＳ４０５）。
【００１７】
（６）ＤＳＰ２０またはマイコン３０は、上記ステップＳ４０５で試し記録させたフォーカスオフセット調整用の信号を、フォーカスオフセットを変化させながら再生させ、該再生信号のＰＩエラーの評価など信号品質の評価を行う（ステップＳ４０６）。該評価では、例えばエラーが最小値となるフォーカスオフセット値を求める。
（７）ＤＳＰ２０またはマイコン３０は、第２の記録再生層１ｂのフォーカスオフセット値を、上記求めた値に設定する（ステップＳ４０７）。
（８）ＤＳＰ２０またはマイコン３０は、第２の記録再生層１ｂのフォーカスオフセットの調整動作を終了させる（ステップＳ４０８）。
（９）上記ステップＳ４０２における判別の結果、第２の記録再生層に情報（信号）が記録されている場合は、ＤＳＰ２０またはマイコン３０は、該記録されている情報（信号）を再生し、その再生信号のＰＩエラーの評価など信号品質の評価を行う（ステップＳ４０９）。該評価でも、例えばエラーが最小値となるフォーカスオフセット値を求める。ＤＳＰ２０またはマイコン３０は、第２の記録再生層１ｂのフォーカスオフセット値を、上記求めた値に設定する（ステップＳ４０７）。
ＤＳＰ２０またはマイコン３０は、上記（１）〜（９）の一連のフォーカスオフセット調整の動作に続き、さらに、
（１０）上記ステップＳ４０７において設定したフォーカスオフセット値で再度、記録パワーを変化させて上記第２の記録再生層１ｂの試し記録領域１０２ｂに試し記録を行わせ、記録動作用の適切な記録パワーを求め、該求めた記録パワー及び上記設定したフォーカスオフセット値で記録動作を開始させる。
【００１８】
上記（１）〜（９）の一連のフォーカスオフセット調整動作及びこれに続く上記（１０）の試し記録させる動作、記録動作用の記録パワーを求める動作及び記録を開始させる動作は、制御手段としてのＤＳＰ２０またはマイコン３０が、プログラムに従い、上記一連の手順を実行することで自動的に行われる。ＤＳＰ２０またはマイコン３０に該諸手順を実行させる該プログラムは、光ディスク装置内のメモリ（図示なし）などに予め記憶されているものとする。
【００１９】
上記本発明の実施形態によれば、未記録状態の第２の記録再生層１ｂに対しても適切なフォーカスオフセットの調整（設定を含む）が可能となり、その結果、光ディスク装置の使い勝手性を向上させることができる。
【００２０】
なお、上記実施形態では、記録再生層を２層としたが、本発明はこれに限定されず、３層以上の場合も含む。さらに、上記実施形態では、記録信号生成部１２や再生／誤差信号処理部１３やフォーカス／トラッキング制御部１４を、ＤＳＰ２０の外部に設ける構成としたが、本発明はこれにも限定されず、これらのうちの一部ものまたは全部を、ＤＳＰ２０内に設ける構成としてもよい。また、図３では、ＰＩエラーの検出方法として、検出閾値以上のものを検出し、下限値Ｆ２、上限値Ｆ３間ではＰＩエラーは検出閾値と等しくなるようにしたが、本発明ではこれにも限定されない。また、言うまでもなく、上記制御動作は、制御手段としてのＤＳＰ２０とマイコン３０の両方により行われるようにしてもよい。
【図面の簡単な説明】
【００２１】
【図１】本発明の実施形態としての光ディスク装置の構成例図である。
【図２】光ディスクの内部構成の説明図である。
【図３】図１の光ディスク装置におけるフォーカスオフセットとＰＩエラーの関係を示す図である。
【図４】図１の光ディスク装置におけるフォーカスオフセット調整の動作手順の説明図である。
【符号の説明】
【００２２】
１…光ディスク、
１ａ…第１の記録再生層、
１ｂ…第２の記録再生層、
２…ディスクモータ、
３…光ピックアップ、
４…ピックアップスライド機構、
５…スライダモータ、
６…モータ駆動回路、
７…レーザダイオード、
８…受光部、
９…レーザ駆動回路、
１０…光学系、
１０ａ…対物レンズ、
１１…アクチュエータ、
１２…記録信号生成部、
１３…再生／誤差信号処理部、
１４…フォーカス／トラッキング制御部、
２０…ＤＳＰ、
３０…マイコン、
４０…インターフェース、
５０…ホストコンピュータ、
１０１…データ領域、
１０２…試し記録領域、
１０３…記録カウント領域、
１０４…規格外領域、
２００…ディスク中心軸、
１０１ａ…記録再生層１ａのデータ領域、
１０１ｂ…第２の記録再生層１ｂのデータ領域、
１０２ａ…第１の記録再生層１ａの試し記録領域、
１０２ｂ…第２の記録再生層１ｂの試し記録領域、
１０３ａ…第１の記録再生層１ａの記録カウント領域、
１０３ｂ…第２の記録再生層１ｂの記録カウント領域、
１０４ａ…第１の記録再生層１ａの規格外領域、
１０４ｂ…第２の記録再生層１ｂの規格外領域。
【図１】
2006302468.tif 000003
【図２】
2006302468.tif 000004
【図３】
2006302468.tif 000005
【図４】
2006302468.tif 000006